(57)【要約】【課題】複写用紙に複写記入された金額などの内容が簡単に改ざんできないようにして、不正行為の防止を図ることができる封筒型感圧複写帳票セットを提供する。【解決手段】封筒用下紙上に重合された封筒上紙が少なくとも三辺縁の所定部分で接着され、前記封筒下紙と前記封筒上紙との間に複写用紙が抜き取り可能に形成された封筒型用紙であって、前記封筒上紙と前記複写用紙の間に、前記複写用紙の上面の一部と接着させた接着部を有する用紙が、抜き取りできない状態で設けられていることを特徴とする。【選択図】　　　　図４
2004050463.tif 000002
【特許請求の範囲】
【請求項１】
封筒用下紙上に重合された封筒上紙が少なくとも三辺縁の所定部分で接着され、前記封筒下紙と前記封筒上紙との間に複写用紙が抜き取り可能に形成された封筒型用紙であって、
前記封筒上紙と前記複写用紙の間に、前記複写用紙の上面の一部と接着させた接着部を有する用紙が、抜き取りできない状態で設けられていることを特徴とする封筒型感圧複写帳票セット。
【請求項２】
前記用紙には、前記接着部を囲んだ四方周縁の内、三方周縁に切り込みが形成されていることを特徴とする請求項１記載の封筒型感圧複写帳票セット。
【請求項３】
前記複写用紙が、複数枚重ね合わされて設けられていることを特徴とする請求項１記載の封筒型感圧複写帳票セット。
【請求項４】
前記複写用紙には、三方周縁に切り込みが形成されていることを特徴とする請求項１記載の封筒型感圧複写帳票セット。
【請求項５】
前記封筒上紙と前記複写用紙には、上下方向に重なり合う位置に金額記入欄が設けられていることを特徴とする請求項１記載の封筒型感圧複写帳票セット。
【請求項６】
前記封筒上紙上には、控え用紙が重合され、一辺縁で接着されていることを特徴とする請求項１記載の封筒型感圧複写帳票セット。
【発明の詳細な説明】
【０００１】
【発明の属する技術分野】
本発明は、記入した内容を複写できる複写用紙において、例えば金額等の記入内容に対して、複写された金額が不正に改ざんされるのを防止した封筒型感圧複写用紙セットに関する。
【０００２】
【従来の技術】
従来、複数枚を重合させた複写用紙を用いて、領収金額や請求金額などを記入して、それらの１部の用紙を控え用紙とし、他の用紙を相手方に渡すなどして、情報の伝達を行うことが一般的に行われている。
通常、これらの複写用紙では、最上位の用紙に記入した記載内容が、下位の用紙上に複写されるので、複写された内容が最上位の用紙に記入した内容と同じ内容と間違いないものとして、記入内容に基づく各種の処理が行われる。
【０００３】
しかしながら、例えば、複写用紙に複写記入された金額に基づいて、第三者に対して代金の請求を行うなどの場合において、用紙の記入者と受取人とが共謀して第三者から代金をごまかして不正に高額な代金の請求を行うことも考えられる。
このような不正行為の一例としては、複写される下位の複写用紙の金額複写欄を、最上位の複写用紙の金額複写欄に対して、金額複写欄の数字の位を１桁分の記入マスだけ横方向にずらすことで、複写された用紙に大きな数字の位を複写記入し、更に複写されていない桁の記入マスの上に、別の複写可能な用紙を重ねて適当な数字を記入することで、下位の複写用紙の金額複写欄の複写数字を簡単に改ざんするなどして、不正行為が行われる危険性がある。
そして、下位の複写用紙を支払い金額として、第三者に対して更に請求すれば、支払った金額分との差額を不正に騙し取ることができ、簡単に詐欺行為などが行われてしまうという危険性がある。
【０００４】
【発明が解決しようとする課題】
本発明は、上記の問題に鑑みてなされたものであり、複写用紙に複写記入された金額などの内容が簡単に改ざんできないようにして、不正行為の防止を図ることができる封筒型感圧複写帳票セットを提供する。
【０００５】
【課題を解決するための手段】
上記の目的を達成するために、本発明の封筒型感圧複写帳票セットは、封筒用下紙上に重合された封筒上紙が少なくとも三辺縁の所定部分で接着され、前記封筒下紙と前記封筒上紙との間に複写用紙が抜き取り可能に形成された封筒型用紙であって、前記封筒上紙と前記複写用紙の間に、前記複写用紙の上面の一部と接着させた接着部を有する用紙が、抜き取りできない状態で設けられていることを特徴とする。
【０００６】
また、本発明の封筒型感圧複写帳票セットは、用紙には、前記接着部を囲んだ四方周縁の内、三方周縁に切り込みが形成されていることを特徴とする。
【０００７】
更に、本発明の封筒型感圧複写帳票セットは、前記複写用紙が、複数枚重ね合わされて設けられていることを特徴とし、また、前記複写用紙には、三方周縁に切り込みが形成されていることを特徴とする。
【０００８】
更に、前記封筒上紙と前記複写用紙には、上下方向に重なり合う位置に金額記入欄が設けられていることを特徴とし、また、前記封筒上紙上には、控え用紙が重合され、一辺縁で接着されていることを特徴とする。
【０００９】
【発明の実施の形態】
以下、本発明の封筒型感圧複写帳票セットについて、図面に基づき詳細に説明する。
図１は、本発明の実施形態に係る封筒型感圧複写帳票セットの斜視図、図２は、図１のＡ−Ａ線断面図、図３は、図１のＢ−Ｂ線断面図、図４は、本発明の実施形態に係る封筒型感圧複写帳票セットの分解斜視図、図５は、本発明の実施形態に係る封筒型感圧複写帳票セットにおいて、開口部から封筒内部に設けられた複写用紙を引き抜く状態を説明する断面図、図６は、本発明の実施形態に係る封筒型感圧複写帳票セットにおいて、開口部から封筒内部に設けられた複写用紙を引き取る状態を説明する断面図、図７は、本発明の実施形態に係る封筒型感圧複写帳票セットに使用方法を説明する斜視図である。
【００１０】
本発明の実施形態に係る封筒型感圧複写帳票セット１は、図１に示すように、封筒下紙２の上方に、２枚の複写用紙３，４と、仮止め用の用紙５と、封筒上紙６と、控え用用紙７とが順に重ね合わされ、封筒下紙２と封筒上紙６とにより２枚の複写用紙３，４と、仮止め用の用紙５とをその間に挟んだ状態で、三辺縁の所定部分で接着剤１３でそれぞれ接着され、他の一辺縁に開口部１２が設けられた構成を有している。
そして、控え用用紙７は、封筒上紙６の一辺縁で接着され、切り取り可能とするための切り取りミシン９が形成されている。
尚、この控え用用紙７は、必要に応じて設ければよく、本発明の構成上必ずしも必要なものではない。
【００１１】
控え用用紙７と封筒上紙６と２枚の複写用紙３，４の表面には、例えば、領収金額を記入または記入複写される金額記入欄８がそれぞれ表示されている。
そして、利用者が、控え用用紙７の金額記入欄８に筆記具で金額を書き込むと封筒上紙６と２枚の複写用紙３，４の金額記入欄８にもそれらの金額が複写されるように、自己発色剤や発色剤及び顕色剤等による公知技術からなる複写機能が備えられている。
【００１２】
また、図２に示すように、少なくとも仮止め用の用紙５だけは、その他の用紙に比べて横幅寸法が短く形成されている。
そして、仮止め用の用紙５は、その裏面の所定部分において、複写用紙４の上面の一部と接着部１０により接着され、更に図４に示すように、この接着部１０を囲んだ四方周縁の内、開口部１２側の一方を除く三方周縁に切り込み１１が形成されている。
複写用紙３の上面にも、複写用紙４に設けた接着部１０と同位置に、複写用紙３の上面と複写用紙４の裏面の所定位置とを接着する接着部１５が設けられている。
【００１３】
また、重ね合わされた２枚の複写用紙３、４には、開口部１２側を除く三方周縁にそれぞれ切り込み１４が形成されている。
但し、仮止め用の用紙５と複写用紙４の所定部分を接着する接着部１０は、複写用紙３の切り込み１４の内側に設けられている。
また、複写用紙３、４には、それぞれ接着部１０又は接着部１５に沿って切り取りミシン１６、１７が形成され、更に、２枚の複写用紙３、４と封筒上紙６と封筒下紙２とには、開口部１２側の端辺に沿って切り取りミシン１８、１９、２０、２１が形成されている。
【００１４】
尚、複写用紙３、４に形成する切り取りミシン１８、１９は、切り込み１４と交わる部分の間において、他のミシン目と比べてアンカット部を長めにして形成することが好ましい。
これにより、封筒上紙６と２枚の複写用紙３、４と封筒下紙２の右端部分を摘まんで、右方向に引き抜こうとした際に、複写用紙３、４に形成した切り込み１４内の部分だけが同時に引き抜くことができる。
そして、引き抜いた後に、切り取りミシン１８、１９で切り取ることで不要な部分だけを破棄することができる。
【００１５】
２枚の複写用紙３、４と仮止め用の用紙５のそれぞれの長辺縁には、図４に示すように所定の間隔をおいて切り欠き部２２が設けられている。
こららの切り欠き部２２は、２枚の複写用紙３、４と仮止め用の用紙５が重なった状態で上下方向において同位置となるように設けられている。
これにより、図１に示すように、封筒下紙２に設けた接着剤１３により、２枚の複写用紙３、４と仮止め用の用紙５に設けられた各切り欠き部２２を通して、封筒下紙２の上面の所定部分と封筒上紙６の裏面の所定部分とで接着され、一辺開口型封筒が形成されている。
【００１６】
次に、本発明の実施形態に係る封筒型感圧複写帳票セットを使用する手順を、図５乃至図７に基づいて説明する。
利用者が封筒型感圧複写帳票セット１を使用する場合には、控え用用紙７上から金額記入欄８に筆記具で所望の金額を記入したり、その他の必要事項の記入を行う。
そして、控え用用紙７を切り取りミシン９から切り取り、記入者側へ控え伝票などとして渡した後に、封筒下紙２と封筒上紙６の左端部分と、封筒下紙２と封筒上紙６の右端部分２ａ，６ａとを指で上下方向から摘まんで、左右方向に引っ張る。
これにより、図５に示すように、封筒上紙６と封筒下紙２とに形成された切り取りミシン２０，２１が切り取られと共に、重ね合わされた２枚の複写用紙３、４が開口部１２側に移動する。
【００１７】
この際に、封筒上紙６の上面の一部が接着部１０で仮止め用の用紙５の裏面に接着されているので、仮止め用の用紙５に形成された切り込み１１に応じてその一部分が開口部方向に移動する。
しかし、仮止め用の用紙５に形成された切り込み１１により、仮止め用の用紙５の一部が封筒上紙６と共に移動可能な長さが限られているので、その限定された移動可能な長さ分を超えた場合には、切り取りミシン１６、１７が切り取られて、図６に示すように、２枚の複写用紙３、４が開口部１２側から引き抜かれる。
この場合、封筒上紙６の上面の一部が接着部１０の接着力を弱くしておき、その接着部１０が離れるようにしてもよい。
【００１８】
また、もし複写用紙３、４の金額欄８を他の用紙の金額欄に対して１桁分だけ横方向にずらした状態で、金額の記入を行うために、図５のように複写用紙３、４を少しだけ開口部１２側にずらして移動させた場合に、仮止め用の用紙５の一部が既に折れ曲がった状態にあり、仮に複写用紙３、４をずらして記入しても、その後に簡単に複写用紙３、４を元の状態に戻すことができないようにしてある。
したがって、複写用紙３、４の金額欄８を他の用紙の金額欄とずらして不正な金額を複写記入することが防止できるようにしたある。
そして、図７に示すように、開口部１２から複写用紙３、４が完全に引き抜かれて、その後の事務処理を行うことができる状態になる。
【００１９】
尚、上記の実施形態においては、仮止め用の用紙５の接着部１０を囲んだ四方周縁の内、開口部１２側の一方を除く三方周縁に切り込み１１が形成されているが、この切り込み１１を形成しない場合でもよい。
この場合には、複写用紙３，４を開口部１２方向に引き抜こうとすると、複写用紙３，４が接着部１０から切り取られるか、又は切り取りミシン１６，１７から切り取られ、元に戻すことができ難くなるので改ざん防止の目的を達成できる。
【００２０】
【発明の効果】
以上説明したように、本発明の封筒型感圧複写帳票セットは、複写用紙を操作して、複写記入される金額表示を不正に改ざんしようとしても、簡単に改ざんできないので、不正行為の防止を図ることができるという効果がある。
また、特に仮止め用の用紙に、接着部を囲んだ四方周縁の内、三方周縁に切り込みを形成することで、複写用紙を元の状態にすることが難しくなり、不正行為の防止を図ることができるという効果がある。
また、複写用紙に、三方周縁に切り込みを形成することで、簡単に複写用紙を引き抜くことができる。
【図面の簡単な説明】
【図１】本発明の実施形態に係る封筒型感圧複写帳票セットの斜視図である。
【図２】図１のＡ−Ａ線断面図である。
【図３】図１のＢ−Ｂ線断面図である。
【図４】本発明の実施形態に係る封筒型感圧複写帳票セットの分解斜視図である。
【図５】本発明の実施形態に係る封筒型感圧複写帳票セットにおいて、開口部から封筒内部に設けられた複写用紙を引き抜く状態を説明する断面図である。
【図６】本発明の実施形態に係る封筒型感圧複写帳票セットにおいて、開口部から封筒内部に設けられた複写用紙を引き取る状態を説明する断面図である。
【図７】本発明の実施形態に係る封筒型感圧複写帳票セットに使用方法を説明する斜視図である。
【符号の説明】
１　封筒型感圧複写帳票セット
２　封筒下紙
２ａ　封筒下紙の右端部分
３，４　複写用紙
５　仮止め用の用紙
６　封筒上紙
６ａ　封筒上紙の右端部分
７　控え用用紙
８　金額記入欄
９，１１，１６，１７，１８，１９，２０，２１　切り取りミシン９
１０　接着部
１１，１４　切り込み
１２　開口部
１３，１５　接着剤
２２　切り欠き部
【図１】
2004050463.tif 000003
【図２】
2004050463.tif 000004
【図３】
2004050463.tif 000005
【図４】
2004050463.tif 000006
【図５】
2004050463.tif 000007
【図６】
2004050463.tif 000008
【図７】
2004050463.tif 000009